(57)【要約】【課題】不特定多数の稼動情報利用者のそれぞれの要求を満足する形式で迅速に稼動情報を集計及び表示して、稼動情報を社内で共有することができる、タイヤの製造に関する稼動情報のＷｅｂによる集計及び表示システムを提供する。【解決手段】総括稼動情報管理端末１４は、社内ＷＡＮ１３に接続され、タイヤの製造に関する稼動情報を事業所ごとに蓄積して一括管理する。稼動情報の集計は、Ｗｅｂブラウザ操作によって選択された集計形式で行われ、稼動情報の表示は、Ｗｅｂブラウザ操作によって選択された表示形式でユーザ端末１５ａ，１５ｂに行われる。【選択図】        図２
2004206612.tif 000002
【特許請求の範囲】
【請求項１】
タイヤの製造に関する稼動情報を、事業所ごとに蓄積して一括管理する、社内ＷＡＮに接続された稼動情報管理手段と、
その社内ＷＡＮに接続され、Ｗｅｂブラウザの操作によって前記稼動情報管理手段にアクセスするユーザ端末とを具え、
前記稼動情報管理手段が、
前記稼動情報の集計を、前記Ｗｅｂブラウザ操作によって選択された集計形式で行う手段と、
前記稼動情報の表示を、前記Ｗｅｂブラウザ操作によって選択された表示形式で前記ユーザ端末に行う手段とを具えることを特徴とする、タイヤの製造に関する稼動情報のＷｅｂによる集計及び表示システム。
【請求項２】
前記稼動情報管理手段が常時起動するように構成したことを特徴とする、請求項１記載のタイヤの製造に関する稼動情報のＷｅｂによる集計及び表示システム。
【発明の詳細な説明】
【０００１】
【発明の属する技術分野】
本発明は、タイヤの製造に関する稼動情報の利用に関し、稼動情報の利用者の拡大や製造現場の改善活動を支援する、タイヤの製造に関する稼動情報のＷｅｂによる集計及び表示システムに関するものである。この場合のタイヤの製造に関する稼動情報とは、人の作業、設備、システム等のタイヤの製造についての全ての情報を意味するものとする。
【０００２】
【従来の技術】
従来の稼動情報の管理は、特定の者によって行われており、その方法も人によって異なっている。例えば、稼動情報の管理者１は、稼動情報を帳票２に記載して保持する（図１Ａ）とともに、設備３、人（作業者）４、物、作業手順等を確認したり、設備３の動作を測定することによって、改善点を明確にしている。稼動情報が公開される際には、通常、管理者によって集計されており、不特定多数の稼動情報の利用者のそれぞれの要求を満足する形式で稼動情報を公開するのは、著しく困難である。
【０００３】
また、利用者が稼動情報のトレンドをグラフなどによって可視化して表示する際には、元になるデータを管理者から入手し、利用者が、自ら表計算ソフトなどを用いてグラフを作成している。このように作成されたグラフは、基本的には紙に印刷されたものであり、事業所間で稼動情報を共有するのは容易でない。
【０００４】
さらに、稼動情報を製造現場の改善活動に活用するためには、稼動情報を様々な観点から集計する必要があり、稼動情報の利用者は、表示のための稼動情報のグラフ化に多数の工程すなわち時間を必要としている。
【０００５】
【発明が解決しようとする課題】
したがって、不特定多数の稼動情報利用者のそれぞれの要求を満足する形式で迅速に稼動情報を集計及び表示して、稼動情報を社内で共有することが望ましい。
【０００６】
本発明の目的は、不特定多数の稼動情報利用者のそれぞれの要求を満足する形式で迅速に稼動情報を集計及び表示して、稼動情報を社内で共有することができる、タイヤの製造に関する稼動情報のＷｅｂによる集計及び表示システムを提供することである。
【０００７】
【課題を解決するための手段】
本発明によるタイヤの製造に関する稼動情報のＷｅｂによる集計及び表示システムは、
タイヤの製造に関する稼動情報を、事業所ごとに蓄積して一括管理する、社内ＷＡＮに接続された稼動情報管理手段と、
その社内ＷＡＮに接続され、Ｗｅｂブラウザ操作によって前記稼動情報管理手段にアクセスするユーザ端末とを具え、
前記稼動情報管理手段が、
前記稼動情報の集計を、前記Ｗｅｂブラウザ操作によって選択された集計形式で行う手段と、
前記稼動情報の表示を、前記Ｗｅｂブラウザ操作によって選択された表示形式で前記ユーザ端末に行う手段とを具えることを特徴とするものである。
【０００８】
本発明によれば、社内ＷＡＮに接続された稼動情報管理手段が、タイヤの製造に関する稼動情報を、事業所ごとに蓄積して一括管理し、稼動情報の集計を、Ｗｅｂブラウザ操作によって選択された集計形式で行うとともに、稼動情報の表示を、Ｗｅｂブラウザ操作によって選択された表示形式でユーザ端末に行う。これによって、不特定多数の稼動情報利用者のそれぞれの要求を満足する形式で迅速に稼動情報を集計及び表示して、稼動情報を社内で共有することができる。
【０００９】
好適には、前記稼動情報管理手段が常時起動するように構成し、これによって、更に迅速な稼動情報の集計及び表示を行うことができる。
【００１０】
【発明の実施の形態】
本発明によるタイヤの製造に関する稼動情報のＷｅｂによる集計及び表示システムを、図面を参照して詳細に説明する。
図２は、本発明によるタイヤの製造に関する稼動情報のＷｅｂによる集計及び表示システムを示す図である。
【００１１】
図２において、事業所１１の稼動情報が事業所稼動情報端末１２に蓄積され、その蓄積情報は、社内ＷＡＮ１３を通じて総括稼動情報端末１４によって事業所ごとに蓄積して一括管理される。
【００１２】
事業所１１には、ユーザ端末１５ａ，１５ｂも配置され、これらユーザ端末１５ａ，１５ｂは、社内ＷＡＮ１３に接続され、ユーザ１６によって、Ｗｅｂブラウザを通じて事業所稼動情報端末１２又は総括稼動情報端末１４にアクセスされる。
【００１３】
事業所稼動情報端末１２及び総括稼動情報端末１４は、ユーザ１６が時間的な制約を受けることなく利用できるよう常時起動しており、稼動情報の収集機能、稼動情報の集計条件設定機能、稼動情報の集計機能、稼動情報の帳票表示機能、稼動情報のトレンドグラフ作成機能及び稼動情報のトレンドグラフ表示機能を有し、ユーザ１６は、稼動情報の集計の際に、Ｗｅｂブラウザ操作によって集計形式を選択でき、かつ、稼動情報をユーザ端末１５ａ，１５ｂに表示する際に、Ｗｅｂブラウザ操作によって表示形式を選択することができる。
【００１４】
その結果、稼動情報は、総括稼動情報端末１４によって一括管理され、Ｗｅｂにて社内ＷＡＮ１３に接続されているユーザ端末１５ａ，１５ｂに稼動情報が公開される。また、Ｗｅｂブラウザの操作によって、稼動情報の表示内容を、諸条件入力によって、トレンドグラフなどでユーザの要求に合わせて可視化でき、したがって、稼動情報の利用者の拡大や製造現場の改善活動に即座に活用することができる。
【００１５】
本実施の形態の動作を説明すると、先ず、ユーザ１６が、Ｗｅｂブラウザの操作によって、社内ＷＡＮ１３に接続された端末１５ａ，１５ｂから事業所稼動情報端末１２又は総括稼動情報端末１４にアクセスする。アクセスが行われると、ユーザ端末１５ａ，１５ｂには、稼動情報公開用Ｗｅｂサイトのトップページが表示される。トップページは、ユーザ１６が稼動情報を参照したい事業所を選択できるように設定されている。また、トップページには、各事業所の稼動情報を横並びに比較して参照できるコンテンツが数種類準備されており、ユーザ１６の選択によってコンテンツを参照することができる。
【００１６】
各事業所のトップページでは、工程ごとのコンテンツが準備されており、ユーザ１６の選択によってコンテンツを参照することができる。また、そのコンテンツでは、稼動情報に関する集計条件が数種類準備されている。集計条件は、ユーザ１６によって自由に変更することができ、ユーザ１６は、その条件に従って集計された稼動情報を参照することができる。公開される情報は、通常は帳票形式であるが、トレンドを更に明確にするために、ユーザ１６の操作によってトレンドグラフなどの数種類のグラフを作成し、これによって、ユーザ１６は、視覚的に理解しやすい形式で稼動情報を参照することができる。
【００１７】
本実施の形態によれば、社内ＷＡＮ１３に接続された統括稼動情報管理端末１４が、タイヤの製造に関する稼動情報を、事業所１１ごとに蓄積して一括管理し、稼動情報の集計を、Ｗｅｂブラウザ操作によって選択された集計形式で行うとともに、稼動情報の表示を、Ｗｅｂブラウザ操作によって選択された表示形式でユーザ端末に行うので、不特定多数の稼動情報利用者のそれぞれの要求を満足する形式で迅速に稼動情報を集計及び表示して、稼動情報を社内で共有することができる。
【００１８】
従来では稼動情報の集計を行う際に１日に４人の集計者を必要としていたが、本実施の形態では、稼動情報の集計がシステムによって自動的に行われるので、集計者を必要としなくなる。また、設備動作の各ステップのサイクルタイムのグラフによる可視化によって、製造現場の改善速度が向上する。具体的には、従来では設備動作の各ステップのサイクルタイムの測定を行う際に１台の設備につき１人の測定者を必要としたが、本実施の形態では測定者を必要としなくなる。さらに、各事業所の稼動情報が共有フォーマットの帳票で標準化され、稼動情報を事業所管及びタイヤの製造工程間で共有することができる。
【００１９】
本発明は、上記実施の形態にのみ限定されるものではなく、幾多の変更や変形が可能である。例えば、上記実施の形態において２個のユーザ端末を事業所内に配置した場合について説明したが、ユーザ端末の個数を任意に設定でき、社内ＷＡＮに接続可能であれば任意の場所にユーザ端末を配置することができる。
【図面の簡単な説明】
【図１】従来の稼動情報の管理を説明するための図である。
【図２】本発明によるタイヤの製造に関する稼動情報のＷｅｂによる集計及び表示システムを示す図である。
【符号の説明】
１  管理者
２  帳票
３  設備
４  人（作業者）
１１  事業所
１２  事業所稼動情報端末
１３  社内ＷＡＮ
１４  総括稼動情報端末
１５ａ，１５ｂ  ユーザ端末
１６  ユーザ
【図１】
2004206612.tif 000003
【図２】
2004206612.tif 000004